(57)【要約】【課題】加熱回転手段の永久変形を防ぐこと。【解決手段】定着装置９は、上流側発熱部２７及び下流側発熱部２８を備えた定着フィルム１２と定着フィルム１２に圧接して定着ニップ部を形成する加圧ローラ１１とを備え、トナー像が形成された記録材１６を定着ニップ部で加熱して搬送することにより記録材１６にトナー像を定着させる定着手段と、定着フィルム１２の回転方向の上流側における定着ニップ部の内外の温度に基づいて上流側発熱部２７及び下流側発熱部２８の制御を行うＣＰＵ２０と、を有する。【選択図】図１
2019095495.tif 000002
【特許請求の範囲】
【請求項１】
加熱手段を備えた加熱回転手段と前記加熱回転手段に圧接して定着ニップ部を形成する加圧回転手段とを備え、トナー像が形成された記録材を前記定着ニップ部で加熱して搬送することにより記録材にトナー像を定着させる定着手段と、
前記加熱回転手段の回転方向の上流側における前記定着ニップ部の内外の温度に基づいて前記加熱手段の制御を行う制御手段と、
を有することを特徴とする定着装置。
【請求項２】
前記加熱手段は、
前記回転方向に沿って複数設けられ、
前記制御手段は、
前記定着ニップ部の内外の温度に基づいて前記加熱手段の各々の点灯比率を変化させる制御を行う、
ことを特徴とする請求項１記載の定着装置。
【請求項３】
前記制御手段は、
画像形成終了後の前記加熱回転手段の回転停止後に、前記加熱手段を制御して前記定着ニップ部をトナーの軟化点以上の温度に加熱させ、前記加熱回転手段が次に回転を開始する際に、前記上流側における前記定着ニップ部の内外の温度に基づいて前記加熱手段の制御を行う、
ことを特徴とする請求項１又は請求項２記載の定着装置。
【請求項４】
前記制御手段は、
前記上流側における前記定着ニップ部の内外の温度差に応じて、前記加熱手段の制御を行う、
ことを特徴とする請求項１から請求項３のいずれか１項に記載の定着装置。
【請求項５】
前記制御手段は、
前記定着ニップ部の温度と通紙枚数とに基づいて前記定着ニップ部の内外の温度差を判定する、
ことを特徴とする請求項４記載の定着装置。
【請求項６】
前記加熱回転手段は、
金属製の無端のフィルム又はベルトである、
ことを特徴とする請求項１から請求項５のいずれか１項に記載の定着装置。
【請求項７】
請求項１から請求項６のいずれか１項に記載の定着装置と、
記録材にトナー像を形成する画像形成手段と、
を有し、
前記定着装置は、
前記画像形成手段によりトナー像を形成した記録材にトナー像を定着させる、
ことを特徴とする画像形成装置。
【発明の詳細な説明】
【技術分野】
【０００１】
本発明は、定着装置、及びこの定着装置を備えた複写機、レーザビームプリンタ又はファクシミリ等の画像形成装置に関する。
【背景技術】
【０００２】
従来、加熱定着装置を備えた複写機、プリンタ又はファクシミリ等の画像形成装置が知られている。かかる画像形成装置は、転写材シート、印刷紙、エレクトロファックスシート又は静電記録シート等の記録材の表面に、加熱定着性の顕画剤（トナー）を用いて間接（転写）方式又は直接方式により未定着トナー像を形成する。そして、加熱定着装置は、電子写真方式、静電記録方式又は磁気記録方式等の画像形成プロセスにおいて、記録材の表面に担持された未定着トナー像を、記録材に熱定着させる。
【０００３】
このような加熱定着装置としては、従来、熱ローラ方式が多く用いられている。かかる熱ローラ方式の加熱定着装置は、ハロゲンヒータ等の内蔵熱源により加熱されて所定の温度を維持する加熱ローラ等の加熱回転体と、この加熱回転体に圧接する弾性を有する加圧ローラ等の加圧回転体とを備えている。そして、加熱回転体と加圧回転体とが圧接して定着ニップ部を形成している。この定着ニップ部に記録材を導入し、定着ニップ部で記録材を挟持搬送することにより、加熱回転体からの熱及び加圧ローラの加圧力で記録材の表面の未定着トナー像を記録材に定着させる。
【０００４】
また、近年、加熱定着装置としては、フィルム加熱方式の加熱定着装置が実用化されている。かかるフィルム加熱方式の加熱定着装置は、支持部材に固定支持させた定着ヒータ等の加熱体に対して、被加熱材である薄膜金属の定着フィルム等の加熱ローラを介して記録材を密着させ、加熱体の熱を定着フィルムを介して記録材に与える構成を有する。
【０００５】
このようなフィルム加熱方式の加熱定着装置は、昇温の速い低熱容量の例えば絶縁性及び良熱伝導性のセラミック基材と、このセラミック基材の表面に設けた通電により発熱する抵抗発熱層と、を有する所謂セラミック定着ヒータを用いる。また、フィルム材としては、薄膜で低熱容量のものを用いることができるため、定着ヒータの温度を短時間で上昇させることができる。
【０００６】
従って、フィルム加熱方式の加熱定着装置では、スタンバイ時に定着ヒータに電力を供給する必要がなく、定着ヒータの起動後直ちに記録材を通紙しても記録材が定着ニップ部に到達するまでに定着フィルムを所定温度まで十分に昇温させることができる。これより、フィルム加熱方式の加熱定着装置は、オンデマンドで作動し又はクイックスタート性を有するためにウェイトタイムの短縮化が可能であると共に省電力にすることができ、また画像形成装置の装置内の昇温を抑えることができる。
【０００７】
ここで、記録材の表面に担持された未定着トナーは、全てが適度に加熱溶融されて、記録材の表面に定着されるのが理想的である。しかしながら、溶けきらないコールドオフセット状態のトナー、溶けすぎたホットオフセット状態のトナー、又は静電的に加圧ローラや定着フィルムにオフセットしたトナー等が存在する場合がある。これらのトナーは、記録材の表面に接する加圧ローラや定着フィルムに転移し、又は加圧ローラや定着フィルムに転移したトナーが紙間等で定着ローラや加圧ローラに転移し、これにより加圧ローラ又は定着フィルムに付着してトナー汚れを発生させる。
【０００８】
このため定着フィルム及び加圧ローラの表層には、このようなトナー汚れを蓄積させないために、一般的にトナーとの離型性を考慮してＰＴＦＥ、ＰＦＡ若しくはＦＥＰ等のフッ素樹脂層、又はＬＴＶ若しくはＲＴＶ等のシリコンゴム層からなる離型層を設ける。
【０００９】
かかる状況において特許文献１は、ホットオフセット等に伴う画像不良や機内昇温等の防止を図ることができる定着装置を開示している。
【００１０】
特許文献１の定着装置は、プリント（定着処理）が終了して加圧ローラを駆動するモータが停止することにより、加圧ローラの回転に従動回転する定着フィルムの回転も停止する。
【００１１】
この際に、定着ヒータに通電し、定着フィルムや加圧ローラに付着したトナーをトナーの溶融温度以上に温める。そしてその後に、定着ヒータへの通電を停止することにより、トナーを冷却してトナー粒同士を互いに結合させる。また、定着ヒータへの通電を停止することにより、加圧ローラより熱容量の小さい定着フィルムが先に冷えるため、加圧ローラ上のトナーは定着フィルム側へ移動し、定着フィルム側に移動したトナーは目には見えない程度で紙に付着して排出される。
【先行技術文献】
【特許文献】
【００１２】
【特許文献１】特開２００１−２２８７４４号公報
【発明の概要】
【発明が解決しようとする課題】
【００１３】
しかしながら、特許文献１においては、定着フィルムが回転停止している状態で定着フィルムを加熱するため、定着フィルムの周方向において定着ニップ部の内外に温度差を生じ、定着ニップ部が加熱されて熱膨張する一方、定着ニップ部以外は熱膨張しない。これより、特許文献１においては、定着フィルムの回転方向において熱膨張する部分と熱膨張しない部分とを生じることで、定着フィルムに対して熱応力が加わる。
【００１４】
また、特許文献１においては、定着フィルムは加圧ローラの回転に従動回転するため、回転する際に加圧ローラにより回転方向の下流側に引っ張られ、定着フィルムの定着ニップ部の近傍に回転による応力が加わる。これより、定着フィルムには、熱応力が加わる箇所と回転による応力が加わる箇所とが重なって応力が集中することにより、永久変形して凹みを生じる。
【００１５】
本発明の目的は、加熱回転手段の永久変形を防ぐことができる定着装置及び画像形成装置を提供することである。
【課題を解決するための手段】
【００１６】
本発明に係る定着装置は、加熱手段を備えた加熱回転手段と前記加熱回転手段に圧接して定着ニップ部を形成する加圧回転手段とを備え、トナー像が形成された記録材を前記定着ニップ部で加熱して搬送することにより記録材にトナー像を定着させる定着手段と、前記加熱回転手段の回転方向の上流側における前記定着ニップ部の内外の温度に基づいて前記加熱手段の制御を行う制御手段と、を有することを特徴とする。
【発明の効果】
【００１７】
本発明によれば、加熱回転手段の永久変形を防ぐことができる。
【図面の簡単な説明】
【００１８】
【図１】本発明の実施の形態に係る画像形成装置の模式図である。
【図２】本発明の実施の形態に係る定着装置の定着ヒータの温度の推移である。
【図３】本発明の実施の形態に係る定着装置の動作を示すフロー図である。
【図４】本発明の実施の形態に係る定着装置の後回転終了時の定着フィルムの温度を示す図である。
【図５】本発明の実施の形態に係る定着装置の停止時加熱終了時の定着フィルムの温度を示す図である。
【図６】本発明の実施の形態に係る定着装置の停止時加熱終了後の定着フィルムの温度制御を示す図である。
【図７】本発明の実施の形態に係る定着装置の定着フィルムに加わる応力とＪｏｂ数との関係を示す図である。
【発明を実施するための形態】
【００１９】
以下、本発明の実施の形態について図面を参照して詳細に説明する。
【００２０】
＜画像形成装置の構成＞
本発明の実施の形態に係る画像形成装置１００の構成について、図１を参照しながら、詳細に説明する。
【００２１】
画像形成装置１００は、感光ドラム１と、帯電部２と、露光部３と、現像部４と、転写ローラ５と、分離除電針６と、クリーナ７と、を有している。また、画像形成装置１００は、搬送ローラ対８と、定着装置９と、レジストローラ対１０と、排紙ローラ１３と、給紙ローラ１５と、カセット１７と、を有している。感光ドラム１、帯電部２、露光部３、現像部４及び転写ローラ５は、記録材１６に画像を形成する画像形成手段としての画像形成部を構成している。
【００２２】
感光ドラム１は、ＯＰＣやａ−Ｓｉ等の光導電層を有している。感光ドラム１は、装置本体に回転自在に軸支されており、図示しない駆動部により駆動されて回転する。感光ドラム１には、露光部３により露光されることにより、静電潜像が形成される。
【００２３】
帯電部２は、帯電バイアスが印加されることにより、感光ドラム１を一様に帯電させる。
【００２４】
露光部３は、スキャナ等の図示しない光学走査系により読み込まれた画像情報が図示しない画像処理手段から入力し、入力した画像情報に基づいて感光ドラム１を露光して感光ドラム１に静電潜像を形成する。
【００２５】
現像部４は、トナーを収容し、感光ドラム１に形成される静電潜像に対して収容しているトナーを付着させて、トナー像として現像する。
【００２６】
転写ローラ５は、感光ドラム１の回転に従動回転すると共に、感光ドラム１に当接することで転写ニップ部を形成している。転写ローラ５は、感光ドラム１に形成されたトナー像を、転写ニップ部において用紙等の記録材１６に転写させる。転写ローラ５は、トナー像を転写させた記録材１６を定着装置９に向けて搬送する。
【００２７】
分離除電針６は、転写ローラ５によりトナー像が転写された記録材１６を感光ドラム１から分離する。
【００２８】
クリーナ７は、転写ローラ５による記録材１６に対するトナー像の転写後に感光ドラム１の表面に残留したトナーを除去する。
【００２９】
搬送ローラ対８は、給紙ローラ１５から給送された記録材１６をレジストローラ対１０に向けて搬送する。
【００３０】
定着装置９は、オンデマンド定着方式を用いており、転写ニップ部から搬送されてきたトナー像を転写された記録材１６に、トナー像を定着させると共に、トナー像を定着させた記録材１６を排紙ローラ１３に向けて搬送する。なお、定着装置９は、オンデマンド定着方式を用いる場合に限らず、未定着トナー像を記録材１６に定着させるものであれば、ヒートローラ方式又は電磁誘導加熱方式を用いることができる。また、定着装置９の構成の詳細については後述する。
【００３１】
レジストローラ対１０は、感光ドラム１上に形成されたトナー像に合わせて回転し、搬送ローラ対８から搬送されてきた記録材１６を転写ニップ部に供給する。
【００３２】
排紙ローラ１３は、定着装置９から搬送されてきた記録材１６を排出する。
【００３３】
給紙ローラ１５は、カセット１７に収容されている記録材１６を１枚に分離して搬送ローラ対８に給送する。
【００３４】
カセット１７は、複数の記録材１６を積層して収容している。
【００３５】
＜定着装置の構成＞
本発明の実施の形態に係る定着装置９の構成について、図１を参照しながら、詳細に説明する。
【００３６】
定着装置９は、定着部１４と、定着モータ１８と、メモリ１９と、ＣＰＵ２０と、温湿度センサー２１と、定着ヒータ２２と、定着ヒータ２３と、サーミスタ２４と、通紙枚数カウンタ２５と、を有している。
【００３７】
定着部１４は、転写ニップ部から搬送されてきたトナー像を転写された記録材１６に、トナー像を定着させる。具体的には、定着部１４は、加圧ローラ１１と、定着フィルム１２と、セラミック基板２６と、上流側発熱部２７と、下流側発熱部２８と、を有している。定着ヒータ２２及び上流側発熱部２７と、定着ヒータ２３及び下流側発熱部２８と、は定着フィルム１２の回転方向に沿って複数設けられた加熱手段としての加熱部を構成している。
【００３８】
加圧回転手段としての加圧ローラ１１は、回転金属軸体と、ＥＰＤＭゴムやシリコンゴム又はフッ素ゴムを発泡させたスポンジゴム層の基層と、シリコンゴムやフッ素ゴム又はフッ素樹脂等の耐熱性を有した樹脂の表層と、から構成されている。加圧ローラ１１は、図示しない加圧バネにより定着フィルム１２を挟んで上流側発熱部２７及び下流側発熱部２８に対し定着フィルム１２を介して所定の圧力で圧接して、定着ニップ部を形成している。加圧ローラ１１は、定着モータ１８によって回転駆動されると共に定着フィルム１２を従動回転させ、定着ニップ部に導入された記録材１６を定着フィルム１２に密着させた状態で搬送する。
【００３９】
加熱回転手段としての定着フィルム１２は、筒状の回転体であり、セラミック基板２６と、上流側発熱部２７と、下流側発熱部２８と、を内包している。定着フィルム１２は、ＰＦＡ又はＰＴＦＥにより覆われた金属製の無端のフィルム又はベルトである。ＰＦＡ又はＰＴＦＥの厚さは、ここでは４０μｍを例示する。
【００４０】
セラミック基板２６は、定着フィルム１２に内包されている。セラミック基板２６を構成する材料は、ここではアルミナを例示する。
【００４１】
上流側発熱部２７は、セラミック基板２６上に発熱ペーストを印刷して形成されており、定着ヒータ２２からＡＣ電流が供給されて発熱する。上流側発熱部２７は、上流側発熱部２７の保護及び絶縁性を確保するための図示しないガラスコーティング層により覆われている。
【００４２】
下流側発熱部２８は、セラミック基板２６上に発熱ペーストを印刷して形成されていると共に、上流側発熱部２７よりも定着フィルム１２の回転方向の下流側に設けられ、定着ヒータ２３からＡＣ電流が供給されて発熱する。下流側発熱部２８は、下流側発熱部２８の保護及び絶縁性を確保するための図示しないガラスコーティング層により覆われている。
【００４３】
上流側発熱部２７及び下流側発熱部２８は、定着フィルム１２の回転方向に沿って設けられている。
【００４４】
定着モータ１８は、ＣＰＵ２０の制御により加圧ローラ１１を回転駆動させる。
【００４５】
メモリ１９は、制御プログラムを予め記憶していると共に、通紙枚数カウンタ２５によりカウントするカウント値を記憶する。メモリ１９は、温度及び湿度と閾値とを対応付けたテーブルを記憶している。
【００４６】
制御手段としてのＣＰＵ２０は、図示しない入力部から画像形成命令が入力した際に、メモリ１９に格納されている各種の制御プログラムを実行する。ＣＰＵ２０は、制御プログラムを実行することにより、サーミスタ２４から入力する検出結果に基づいて、定着ヒータ２２及び定着ヒータ２３の目標温度を決定する。ＣＰＵ２０は、定着ヒータ２２及び定着ヒータ２３への電力制御を行うことにより、定着ヒータ２２及び定着ヒータ２３を目標温度に保つ。
【００４７】
ＣＰＵ２０は、画像形成終了後の後回転終了後において定着フィルム１２の回転を停止させて定着ヒータ２２に通電することにより、加圧ローラ１１又は定着フィルム１２に付着したトナーをトナーの溶融温度以上に温める停止時加熱を行う。
【００４８】
ＣＰＵ２０は、停止時加熱の終了後に、定着フィルム１２の回転方向の上流側における定着ニップ部の内外の温度に基づいて、定着ヒータ２２及び定着ヒータ２３への電力制御を行う。具体的には、ＣＰＵ２０は、メモリ１９に記憶されているテーブルを参照して、温湿度センサー２１から入力する温度及び湿度の検出結果に対応付けられている閾値を設定する。このように設定される閾値は、定着装置９の温度及び湿度に応じて変更される。ＣＰＵ２０は、サーミスタ２４から入力する温度の検出結果と設定した閾値との比較結果、及びメモリ１９に記憶しているカウント値に基づいて、定着ヒータ２２及び定着ヒータ２３への電力制御を行う。
【００４９】
温湿度センサー２１は、定着装置９の温度及び湿度を検出して、その検出結果をＣＰＵ２０に出力する。
【００５０】
定着ヒータ２２は、上流側発熱部２７に対してＣＰＵ２０により電力制御されたＡＣ電流を供給して上流側発熱部２７を発熱させる。
【００５１】
定着ヒータ２３は、下流側発熱部２８に対してＣＰＵ２０により電力制御されたＡＣ電流を供給して下流側発熱部２８を発熱させる。
【００５２】
サーミスタ２４は、セラミック基板２６の裏面に設けられ、定着ヒータ２２及び定着ヒータ２３の温度を検出し、検出結果をＣＰＵ２０に出力する。
【００５３】
通紙枚数カウンタ２５は、Ｊｏｂ毎の通紙枚数をカウントし、そのカウント値をメモリ１９に記憶させる。
【００５４】
上記構成の定着装置９は、定着ニップ部に搬送される記録材１６に対して、上流側発熱部２７及び下流側発熱部２８の熱と定着ニップ部における加圧力とを加えて、記録材１６に形成担持された未定着トナー像を記録材１６に定着させる。
【００５５】
＜定着装置の動作＞
本発明の実施の形態に係る定着装置９の動作について、図２から図６を参照しながら、詳細に説明する。
【００５６】
まず、定着装置９の大まかな動作について図２を参照しながら説明する。
【００５７】
定着装置９は、画像形成装置の装置本体の電源がＯＮされることにより、動作を開始する。
【００５８】
定着装置９は、定着ヒータ２２及び定着ヒータ２３をＯＮにすると共に定着モータ１８の駆動をＯＮにしてプリント（定着処理）を実行した後に、後回転動作を行う。定着装置９は、後回転動作において、定着ヒータ２２及び定着ヒータ２３をＯＦＦにすると共に、定着モータ１８の駆動をＯＮにしたままで定着フィルム１２を加圧ローラ１１に対して従動回転させる。後回転動作における定着ヒータ２２及び定着ヒータ２３の温度は、図２に示すように徐々に低下する。
【００５９】
次に、定着装置９は、後回転動作の終了後に、定着モータ１８の駆動をＯＦＦにして加圧ローラ１１及び定着フィルム１２の回転を停止させると共に、加圧ローラ１１及び定着フィルム１２の回転停止後に、停止時加熱動作を行う。定着装置９は、停止時加熱動作において、定着ヒータ２２及び定着ヒータ２３をＯＮにして、定着フィルム１２及び加圧ローラ１１に付着したトナーを、トナーの軟化点以上の温度に加熱する。
【００６０】
停止時加熱動作において定着ヒータ２２及び定着ヒータ２３の温度は、図２に示すように徐々に上昇すると共に所定温度まで上昇した際にその所定温度が維持される。停止時加熱動作を行う時間は、ここでは５ｓｅｃを例示する。
【００６１】
次に、定着装置９は、停止時加熱動作の終了後に、定着モータ１８の駆動をＯＦＦにしたままで、定着ヒータ２２及び定着ヒータ２３をＯＦＦにしてトナーを冷却する。これにより、定着フィルム１２や加圧ローラ１１の表面に個々のトナー粒子を保持しにくい状況でも、トナー粒同士を互いに結合させて定着フィルム１２や加圧ローラ１１の表面にトナーを容易に保持させることができる。この際、定着装置９は、定着ニップ部の温度をトナーの軟化点以下まで下げることにより、定着フィルム１２に固着させるトナーを更に増やすことができる。この際の定着ヒータ２２及び定着ヒータ２３の温度は、図２に示すように徐々に低下する。
【００６２】
次に、定着装置９は、定着ヒータ２２及び定着ヒータ２３をＯＮにすると共に、定着モータ１８の駆動をＯＮにして加圧ローラ１１及び定着フィルム１２を回転させることにより、定着ニップ部のトナーが加圧ローラ１１に転移することを軽減する。この際の定着ヒータ２２及び定着ヒータ２３の温度は、図２に示すように徐々に上昇すると共に所定温度まで上昇した際にその所定温度が維持される。
【００６３】
次に、定着装置９は、定着ニップ部に突入してきた記録材１６に対して、定着フィルム１２や加圧ローラ１１に保持されているトナーを、定着ニップ部に突入してきた記録材１６に対して目には見えない程度に付着させる。定着ニップ部に突入してきた紙は常温であり、定着フィルム１２及び加圧ローラ１１の表面と記録材１６との間には温度差を生じているため、定着フィルム１２や加圧ローラ１１に保持されているトナーを記録材１６に付着させることができる。
【００６４】
続いて、本発明の実施の形態に係る定着装置９の動作について、図３から図６を参照しながら、更に詳細に説明する。
【００６５】
図４において、定着フィルム１２は反時計回りに回転する。また、図４から図６において、定着ニップ部Ｎの定着フィルム１２の周方向における中心よりも左側が上流側であり、定着ニップ部Ｎの定着フィルム１２の周方向における中心よりも右側が下流側である。更に、図４から図６において、実線はホット状態を示し、破線は弱ホット状態を示す。定着ニップ部Ｎは、図４から図６において、定着フィルム１２の周方向位置Ｘ１と周方向位置Ｘ２との間に形成される。
【００６６】
まず、ＣＰＵ２０は、図３に示すように、Ｊｏｂ（プリントＪｏｂ）を受け付ける（Ｓ１）。
【００６７】
次に、ＣＰＵ２０は、プリント動作を開始する（Ｓ２）。
【００６８】
次に、ＣＰＵ２０は、定着ヒータ２２及び定着ヒータ２３をＯＦＦにすると共に、定着モータ１８をＯＮにする後回転動作を開始して、所定時間経過後に後回転動作を終了する（Ｓ３）。
【００６９】
この際、定着フィルム１２の上流側発熱部２７及び下流側発熱部２８と接していない部分は、定着フィルム１２の上流側発熱部２７及び下流側発熱部２８と接している部分よりも空気中への放熱量が多くなる。また、定着フィルム１２の定着ニップ部Ｎの外部の温度は、図４に示すように、下流側が上流側よりも高くなる。
【００７０】
ここで、ホット状態の場合には、通紙枚数が多いために加圧ローラ１１及び定着フィルム１２の周辺の空気の温度が高く、後回転動作時に定着フィルム１２の熱が加圧ローラ１１及び定着フィルム１２の周辺の空気に奪われ難い。一方、弱ホット状態の場合には、通紙枚数が少ないために加圧ローラ１１及び定着フィルム１２の周辺の空気の温度が低く、後回転動作時に定着フィルム１２の熱が加圧ローラ１１及び定着フィルム１２の周辺の空気に奪われる。従って、定着フィルム１２の周方向の温度差は、図４に示すように、定着装置９が温まりきったホット状態よりも、定着装置９があまり温まっていない弱ホット状態の方が大きくなる。
【００７１】
次に、ＣＰＵ２０は、定着ヒータ２２及び定着ヒータ２３をＯＮにすると共に、定着モータ１８をＯＦＦにする停止時加熱動作を開始する。また、ＣＰＵ２０は、メモリ１９に記憶されているテーブルを参照して、温湿度センサー２１から入力する温度及び湿度の検出結果に対応付けられている閾値Ｔ℃を設定する。更に、ＣＰＵ２０は、サーミスタ２４で検出した温度が閾値Ｔ℃未満かつメモリ１９に記憶されている通紙枚数カウンタ２５におけるカウント値が所定枚数未満であるか否かを判定する（Ｓ４）。閾値Ｔ℃は、ここでは１９０℃を例示する。また、所定枚数は、ここでは５枚を例示する。
【００７２】
ＣＰＵ２０は、サーミスタ２４で検出した温度が閾値Ｔ℃未満かつ通紙枚数カウンタ２５におけるカウント値が所定枚数未満である場合に（Ｓ４：Ｙｅｓ）、弱ホット状態であると判定する（Ｓ５）。
【００７３】
次に、ＣＰＵ２０は、停止時加熱動作を終了する（Ｓ６）。この際、定着フィルム１２は、後回転動作終了時の図４に示す状態に対して、図５に示すように上流側発熱部２７及び下流側発熱部２８と接している部分の温度のみが上昇している。
【００７４】
次に、ＣＰＵ２０は、次のＪｏｂを受け付ける（Ｓ７）。
【００７５】
次に、ＣＰＵ２０は、上流側発熱部２７と下流側発熱部２８との点灯（ＯＮ）比率を３：７として、上流側発熱部２７の点灯比率を下流側発熱部２８の点灯比率よりも小さくするように定着ヒータ２２及び定着ヒータ２３への通電を制御する（Ｓ８）。上記の点灯比率は、予め実験により求めた図５に示す弱ホット状態の場合の定着フィルム１２の周方向の温度分布に基づいて規定された規定値であり、メモリ１９に記憶されている。
【００７６】
ここで、停止時加熱動作終了時の定着フィルム１２の周方向の温度差は、図５に示すように、ホット状態よりも弱ホット状態の方が大きくなる。また、弱ホット状態の際の定着フィルム１２の上流側における定着ニップ部Ｎの内外の温度差は、弱ホット状態の際の定着フィルム１２の下流側における定着ニップ部Ｎの内外の温度差よりも大きい。
【００７７】
従って、ステップＳ８の制御を行わない場合には、弱ホット状態の定着フィルム１２は、上流側に加わる熱応力が強まり、次のプリント時に定着モータ１８をＯＮにした際の回転による応力が上流側に加わることにより、永久変形（フィルム凹み）を生じる。これに対して、ＣＰＵ２０は、ステップＳ８の制御を行うことで、図６に示すように、定着フィルム１２の上流側の定着ニップ部Ｎの内外の温度差による温度勾配を緩やかにして熱応力の集中を防ぐことにより、定着フィルム１２の永久変形を防ぐ。
【００７８】
ＣＰＵ２０は、定着フィルム１２の周方向位置Ｘ１よりも上流側の周方向位置Ｘ０から周方向位置Ｘ１までの温度勾配が緩やかな所定値となるように、上流側発熱部２７と下流側発熱部２８との点灯比率を設定する。所定値は、ここでは９０℃／ｍｍを例示する。
【００７９】
そして、定着装置９は、プリント動作を全て終了した際に動作を終了する。
【００８０】
一方、ＣＰＵ２０は、サーミスタ２４で検出した温度が閾値Ｔ℃以上又は通紙枚数カウンタ２５におけるカウント値が所定枚数以上である場合に（Ｓ４：Ｎｏ）、ホット状態であると判定する（Ｓ９）。
【００８１】
次に、ＣＰＵ２０は、停止時加熱動作を終了する（Ｓ１０）。この際、定着フィルム１２は、図５に示すように、後回転動作終了時の図４に示す状態に対して、上流側発熱部２７及び下流側発熱部２８と接している部分の温度のみが上昇している。
【００８２】
次に、ＣＰＵ２０は、次のＪｏｂを受け付ける（Ｓ１１）。
【００８３】
次に、ＣＰＵ２０は、上流側発熱部２７と下流側発熱部２８との点灯（ＯＮ）比率を５：５として、上流側発熱部２７と下流側発熱部２８との点灯比率を同一にするように定着ヒータ２２及び定着ヒータ２３への通電を制御する（Ｓ１２）。上記の点灯比率は、予め実験により求めた図５に示すホット状態の場合の定着フィルム１２の周方向の温度分布に基づいて規定された規定値であり、メモリ１９に記憶されている。
【００８４】
このように、ＣＰＵ２０は、弱ホット状態とホット状態とにおいて、上流側発熱部２７と下流側発熱部２８との点灯比率を変化させる。なお、上流側発熱部２７と下流側発熱部２８との点灯比率は、上記に限らず、停止時加熱における温度等に応じて、定着フィルム１２の回転方向の上流側における定着ニップ部Ｎの内外の温度差を小さくする任意の値に設定することができる。
【００８５】
そして、定着装置９は、プリント動作を全て終了した際に動作を終了する。
【００８６】
上記の通り、定着フィルム１２の上流側における定着ニップ部Ｎの内外の温度差は、弱ホット状態又はホット状態であるか否かにより判定することができる。また、弱ホット状態又はホット状態は、サーミスタ２４で検出した温度及び通紙枚数カウンタ２５でカウントした通紙枚数により判定することができる。なお、定着フィルム１２の上流側における定着ニップ部Ｎの内外の温度差は、上記により判定する場合に限らず、定着フィルム１２の上流側に別途設けたサーミスタで検出してもよい。
【００８７】
図７は、各Ｊｏｂの通紙枚数が５枚未満の弱ホット状態において、定着フィルムの上流側の温度差が大きく永久変形が発生しやすい条件における、定着フィルムに加わる応力と通紙枚数との関係を示している。なお、図７では、定着フィルムをＳＵＳ３０４で形成している。
【００８８】
図７より、従来は、１回目のＪｏｂの終了時において、定着フィルムの上流側の温度差により、１３０Ｎ／ｍｍ２の熱応力が定着フィルムに発生する。また、従来は、２回目のＪｏｂの開始時において、定着モータの駆動ＯＮにより、２５０Ｎ／ｍｍ２の応力が定着フィルムに加わる。これにより、従来は、定着フィルムの弾性限度（耐力）の２０５Ｎ／ｍｍ２を超えた応力が定着フィルムに加わることで、定着フィルムに永久変形を生じる。ここで、定着フィルムの弾性限度とは、永久変形を起こさず、応力を解除すると弾性により元に戻る応力の限界を言う。
【００８９】
一方、本実施の形態は、１回目のＪｏｂの終了時において、定着フィルムの上流側の温度差により、１３０Ｎ／ｍｍ２の熱応力が定着フィルムに発生する。また、本実施の形態は、２回目のＪｏｂの開始時において、上流側発熱部２７の点灯比率を下流側発熱部２８よりも小さくして、定着フィルム１２の回転方向の上流側に生じる熱応力を低減する。これにより、定着モータ１８の駆動ＯＮにより定着フィルム１２に加わる応力を１５０Ｎ／ｍｍ２以下に抑えることができ、定着フィルム１２に永久変形を生じないようにすることができる。
【００９０】
このように、本実施の形態によれば、定着フィルム１２の回転方向の上流側における定着ニップ部の内外の温度に基づいて定着ヒータ２２及び定着ヒータ２３の制御を行うことにより、定着フィルムの永久変形を防ぐことができる。
【００９１】
本発明は上記実施の形態に限定されるものではなく、その要旨を逸脱しない範囲で種々変形可能であることは言うまでもない。
【００９２】
具体的には、上記実施の形態において、上流側発熱部２７及び下流側発熱部２８の２つの発熱部により定着フィルム１２を加熱したが、定着フィルム１２の回転方向に沿って３つ以上の発熱部を設けて定着フィルムを加熱してもよい。この際に、弱ホット状態の場合には、上流側に配置されている発熱部ほど点灯比率を小さくするように制御することで、定着フィルムの永久変形を防ぐことができる。
【００９３】
また、上記実施の形態において、ホット状態の場合の上流側発熱部２７と下流側発熱部２８との点灯比率を、上流側発熱部２７の方が下流側発熱部２８よりも小さくなるように設定してもよい。
【符号の説明】
【００９４】
１  感光ドラム
２  帯電部
３  露光部
４  現像部
５  転写ローラ
６  分離除電針
７  クリーナ
８  搬送ローラ対
１０  レジストローラ対
１１  加圧ローラ
１２  定着フィルム
１３  排紙ローラ
１４  定着装置
１５  給紙ローラ
１６  記録材
１７  カセット
１８  定着モータ
１９  メモリ
２０  ＣＰＵ
２１  温湿度センサー
２２  定着ヒータ
２３  定着ヒータ
２４  サーミスタ
２５  通紙枚数カウンタ
２６  セラミック基板
２７  上流側発熱部
２８  下流側発熱部
１００  画像形成装置
Ｎ  定着ニップ部
【図１】
2019095495.tif 000003
【図２】
2019095495.tif 000004
【図３】
2019095495.tif 000005
【図４】
2019095495.tif 000006
【図５】
2019095495.tif 000007
【図６】
2019095495.tif 000008
【図７】
2019095495.tif 000009